(57)【要約】【課題】チルト駆動光ピックアップアクチュエータ及びこれを採用した光記録及び／または再生機器を提供する。【解決手段】ボビンの両側面と対向して位置すべくベースに設けられる１対の単極着磁磁石と、ボビンの周りに捲線されたフォーカスコイルと、単極着磁磁石との相互作用によりトラッキング方向への制御のための電磁気力が発生すべくフォーカスコイルとの交差方向に対物レンズのラジアル方向に沿った両側から前記ボビンを取り囲むように設けられた１対のトラッキングコイルと、対物レンズの中心軸方向を上下方向とし、光記録媒体に近い方向を上側、その反対側を下側とする時、単極着磁磁石との相互作用によりチルト方向への制御のための電磁気力が発生すべくボビンの上側及び／または下側部分に設けられた複数のチルトコイルを含む磁気回路を具備する光記録及び／または再生機器である。【選択図】図２
2004253126.tif 000002
【特許請求の範囲】
【請求項１】
対物レンズが搭載されるボビンと、一端が前記ボビンに結合され、他端がベース上の一側に備えられたホルダーに固定されて前記ボビンを動き自在に支持するサスペンションと、前記ボビン及びベースに設けられる磁気回路と、を含み、
前記磁気回路は、
前記ボビンの両側面と対向して位置すべくベースに位置する１対の単極着磁磁石と、
前記ボビンの周りに捲線されたフォーカスコイルと、
前記単極着磁磁石との相互作用によりトラッキング方向への制御のための電磁気力が発生すべく、前記フォーカスコイルとの交差方向に前記対物レンズのラジアル方向に沿った両側から前記ボビンを取り囲むように位置した１対のトラッキングコイルと、
前記対物レンズの中心軸方向を上下方向とし、光記録媒体に近い側を上側とする時、前記単極着磁磁石との相互作用によりチルト方向への制御のための電磁気力が発生すべく前記ボビンの上側及び／または下側部分に設けられた複数のチルトコイルと、を含むことを特徴とする光ピックアップアクチュエータ。
【請求項２】
前記ボビンには前記トラッキングコイル及び／またはチルトコイルを捲線可能にリールが形成されており、
前記トラッキングコイル及び／またはチルトコイルは前記ボビンに形成されたリールに直接的に捲線されることを特徴とする請求項１に記載の光ピックアップアクチュエータ。
【請求項３】
前記リールは、前記ボビンの上側部分の対物レンズのラジアル方向に沿った両側に前記トラッキングコイル及びチルトを何れも捲線可能に形成された第１リールを含み、チルトコイルは前記ボビンの上側部分に形成された１対の第１リールに各々捲線されることを特徴とする請求項３に記載の光ピックアップアクチュエータ。
【請求項４】
前記リールは、前記ボビンの下側部分の対物レンズのラジアル方向に沿った両側に前記トラッキングコイル及びチルトを何れも捲線可能に形成された第２リールをさらに含み、チルトコイルは前記ボビンの下側部分に形成された１対の第２リールに各々さらに捲線されることを特徴とする請求項３に記載の光ピックアップアクチュエータ。
【請求項５】
前記ボビンには対物レンズを設けるための設置部が前記ボビンに形成されたリールと離隔して形成されており、熱が対物レンズに与える影響を減らせるようになったことを特徴とする請求項２ないし４のうち何れか１項に記載の光ピックアップアクチュエータ。
【請求項６】
前記トラッキングコイル及びフォーカスコイルは、前記トラッキングコイルの有効コイル部分が前記フォーカスコイルの有効コイル部分より前記単極着磁磁石に近く位置すべく前記ボビンに設けられることを特徴とする請求項５に記載の光ピックアップアクチュエータ。
【請求項７】
前記トラッキングコイル及びフォーカスコイルは、前記フォーカスコイルの有効コイル部分が前記トラッキングコイルの有効コイル部分より前記単極着磁磁石に近く位置すべく、前記ボビンに設けられることを特徴とする請求項５に記載の光ピックアップアクチュエータ。
【請求項８】
前記ボビンには前記フォーカスコイル、トラッキングコイル及び／またはチルトコイルから発生した熱の対物レンズへの伝熱を抑制するために伝熱遮断用孔が少なくとも１つ以上形成されていることを特徴とする請求項５に記載の光ピックアップアクチュエータ。
【請求項９】
前記トラッキングコイル及びフォーカスコイルは、前記トラッキングコイルの有効コイル部分が前記フォーカスコイルの有効コイル部分より前記単極着磁磁石に近く位置すべく前記ボビンに設けられることを特徴とする請求項１ないし４のうち何れか１項に記載の光ピックアップアクチュエータ。
【請求項１０】
前記トラッキングコイル及びフォーカスコイルは、前記フォーカスコイルの有効コイル部分が前記トラッキングコイルの有効コイル部分より前記単極着磁磁石に近く位置すべく、前記ボビンに設けられることを特徴とする請求項１ないし４のうち何れか１項に記載の光ピックアップアクチュエータ。
【請求項１１】
前記ボビンには前記フォーカスコイル、トラッキングコイル及び／またはチルトコイルから発生した熱の対物レンズへの伝熱を抑制するために伝熱遮断用孔が少なくとも１つ以上形成されていることを特徴とする請求項１ないし４のうち何れか１項に記載の光ピックアップアクチュエータ。
【請求項１２】
前記磁気回路は１対の単一単極着磁磁石だけを含むことを特徴とする請求項１ないし４のうち何れか１項に記載の光ピックアップアクチュエータ。
【請求項１３】
前記アクチュエータは２面使用、３軸駆動アクチュエータであることを特徴とする請求項１ないし４のうち何れか１項に記載の光ピックアップアクチュエータ。
【請求項１４】
対物レンズを駆動するアクチュエータを備え、光情報貯蔵媒体の半径方向に移動可能に設けられて光情報貯蔵媒体に／から情報を記録／再生する光ピックアップと、前記光ピックアップのフォーカス、トラックサーボを制御するための制御部と、を含み、
前記アクチュエータは、
対物レンズが搭載されるボビンと、
一端が前記ボビンに結合され、他端がベース上の一側に備えられたホルダーに固定されて前記ボビンを動き自在に支持するサスペンションと、
前記ボビンの両側面と対向して位置すべくベースに位置する１対の単極着磁磁石と、前記ボビンの周りに捲線されたフォーカスコイルと、前記単極着磁磁石との相互作用によりトラッキング方向への制御のための電磁気力が発生すべく前記フォーカスコイルとの交差方向に前記対物レンズのラジアル方向に沿った両側から前記ボビンを取り囲むように位置した１対のトラッキングコイルと、前記対物レンズの中心軸方向を上下方向とし、光記録媒体に近い方向を上側とする時、前記単極着磁磁石との相互作用によりチルト方向への制御のための電磁気力が発生すべく前記ボビンの上側及び／または下側部分に設けられた複数のチルトコイルとを含む磁気回路と、を備えることを特徴とする光記録及び／または再生機器。
【請求項１５】
前記ボビンには前記トラッキングコイル及び／またはチルトコイルを捲線可能にリールが形成されており、
前記トラッキングコイル及び／またはチルトコイルは前記ボビンに形成されたリールに直接的に捲線されることを特徴とする請求項１４に記載の光記録及び／または再生機器。
【請求項１６】
前記リールは、前記ボビンの上側部分の対物レンズのラジアル方向に沿った両側に前記トラッキングコイル及びチルトコイルを何れも捲線可能に形成された第１リールを含み、チルトコイルは前記ボビンの上側部分に形成された１対の第１リールに各々捲線されることを特徴とする請求項１５に記載の光記録及び／または再生機器。
【請求項１７】
前記リールは、前記ボビンの下側部分の対物レンズのラジアル方向に沿った両側に前記トラッキングコイル及びチルトコイルを何れも捲線可能に形成された第２リールをさらに含み、チルトコイルは前記ボビンの下側部分に形成された１対の第２リールに各々さらに捲線されることを特徴とする請求項１６に記載の光記録及び／または再生機器。
【請求項１８】
前記ボビンには対物レンズを設けるための設置部が前記ボビンに形成されたリールと離隔して形成されており、熱が対物レンズに与えられる影響を減らせるようになったことを特徴とする請求項１５に記載の光記録及び／または再生機器。
【請求項１９】
前記トラッキングコイル及びフォーカスコイルは、前記トラッキングコイルの有効コイル部分が前記フォーカスコイルの有効コイル部分より前記単極着磁磁石に近く位置すべく、前記ボビンに設けられることを特徴とする請求項１４ないし１８のうち何れか１項に記載の光記録及び／または再生機器。
【請求項２０】
前記トラッキングコイル及びフォーカスコイルは、前記フォーカスコイルの有効コイル部分が前記トラッキングコイルの有効コイル部分より前記単極着磁磁石に近く位置すべく、前記ボビンに設けられることを特徴とする請求項１４ないし１８のうち何れか１項に記載の光記録及び／または再生機器。
【請求項２１】
前記ボビンには前記フォーカスコイル、トラッキングコイル及び／またはチルトコイルから発生した熱の対物レンズへの伝熱を抑制するために伝熱遮断用孔が少なくとも１つ以上形成されていることを特徴とする請求項１４ないし１８のうち何れか１項に記載の光記録及び／または再生機器。
【請求項２２】
前記磁気回路は１対の単一単極磁石だけを備えることを特徴とする請求項１４ないし１８のうち何れか１項に記載の光記録及び／または再生機器。
【請求項２３】
前記アクチュエータは２面使用３軸駆動アクチュエータであることを特徴とする請求項１４ないし１８のうち何れか１項に記載の光記録及び／または再生機器。
【発明の詳細な説明】
【技術分野】
【０００１】
本発明は光ピックアップアクチュエータ及びこれを採用した光記録及び／または再生機器に係り、特に磁石の数を減らして低価型として製作可能なチルト駆動光ピックアップアクチュエータ及びこれを採用した光記録及び／または再生機器に関する。
【背景技術】
【０００２】
光ピックアップは光記録及び／または再生機器に採用されて光記録媒体である光ディスクの半径方向に移動しつつ非接触式で光ディスクに対して情報の記録及び／または再生を行う装置である。
【０００３】
このような光ピックアップは光源から出射された光が光ディスク上の正しい位置に光スポットとして形成されるように、対物レンズをトラッキング方向、フォーカス方向及び／またはチルト方向に駆動するアクチュエータを必要とする。ここで、トラッキング方向駆動とは、光スポットがトラック中心に形成さるべく対物レンズを光ディスクのラジアル方向に調整することを意味する。
【０００４】
光ピックアップアクチュエータはトラッキング方向とフォーカス方向駆動、すなわち、２軸駆動が基本である。最近、高密度光貯蔵機器の具現のために対物レンズの開口数（Ｎｕｍｅｒｉｃａｌ  Ａｐｅｒｔｕｒｅ）が増加し、レーザー光源の波長が短くなり、光ピックアップアクチュエータのチルト方向のマージンが減って、これを補償するために既存の２軸駆動、すなわち、フォーカス方向とトラッキング方向との駆動に付加してチルト方向、特に、ラジアルチルト方向の駆動までも可能な３軸駆動方式の光ピックアップアクチュエータが要求される。このようにフォーカス方向及びトラック方向駆動に付加してチルト方向の駆動までも可能な３軸駆動方式の光ピックアップアクチュエータをチルト駆動光ピックアップアクチュエータという。
【０００５】
チルト駆動光ピックアップアクチュエータは４面使用磁気回路を設計する構造が一般的である。ここで、４面使用磁気回路とは、ボビンの４側面に駆動コイル及び磁石を配置した構造をいう。
【０００６】
図１は、従来のチルト駆動光ピックアップアクチュエータの一例を概略的に示す平面図である。
【０００７】
図面を参照すれば、従来のチルト駆動光ピックアップアクチュエータは、対物レンズ１が搭載されるボビン２と、前記ボビン２をはじめとする駆動部全体をベース（図示せず）に対してフォーカス方向及びトラッキング方向に移動自在に一端がボビン２に結合され、他端がベースに備えられたホルダー３に固定された複数のワイヤー６と、前記駆動部を駆動するための４面使用磁気回路を含んで構成される。
【０００８】
駆動部全体をベースに対して支持するサスペンションの役割を行うワイヤー６は４本備わる。図１では４本のワイヤー６のうち２本だけが見られる。図１で、参照番号９はチルト方向駆動のための電流印加通路として使われるワイヤーである。
【０００９】
前記磁気回路は、光ディスクのラジアル方向にボビン２の両端部側に設けられる１対のフォーカスコイル４ａ、４ｂと、光ディスクのタンジェンシャル方向にボビン２の両側面に設けられる１対のトラッキングコイル４ｃ、４ｄと、前記フォーカスコイル及びトラッキングコイル４ａ、４ｂ、４ｃ、４ｄに流れる電流との相互作用で前記駆動部を駆動させるための電磁気力を発生させる磁石５ａ、５ｂ、５ｃ、５ｄ及びヨーク８を含んで構成される。
【００１０】
前記のような構成を有する従来のチルト駆動光ピックアップアクチュエータでは、フォーカスコイル４ａ、４ｂ及びトラッキングコイル４ｃ、４ｄに電流を印加すれば、前記フォーカスコイル４ａ、４ｂ及びトラッキングコイル４ｃ、４ｄに流れる電流と磁石５ａ、５ｂ、５ｃ、５ｄから出る磁束の相互作用によりフォーカスコイル４ａ、４ｂ及びトラッキングコイル４ｃ、４ｄに電磁気力が作用し、これにより駆動部全体がフォーカス方向及びトラッキング方向に移動し、これによりボビン２に搭載された対物レンズ１がフォーカス方向及びトラッキング方向に移動する。
【００１１】
また、１対のフォーカスコイル４ａ、４ｂに相互反対方向に電磁気力が作用すべく１対のフォーカスコイル４ａ、４ｂに各々電流を印加すれば、駆動部はラジアルチルト方向に移動し、これによりボビン２に搭載された対物レンズ１がラジアルチルト方向に移動する。
【００１２】
このように、フォーカスとチルト駆動は電磁気力作用方向が対物レンズ１の中心軸と平行しており、同じ磁石５ａ、５ｂ及びコイル４ａ、４ｂが用いられる。すなわち、１対のフォーカスコイル４ａ、４ｂに同じ値の電流を印加すれば、一定の変位を有するフォーカス運動が発生し、大きさは同じであるが、反対方向の電流を入力すればチルト運動が発生する。
【００１３】
ところが、前記のような従来のチルト駆動光ピックアップアクチュエータは各々別途にあらかじめ捲線された４つのコイル４ａ、４ｂ、４ｃ、４ｄをボビン２の４側面に設置し、全て４つの独立した磁石５ａ、５ｂ、５ｃ、５ｄを含む４面使用磁気回路を備えるので、４つの独立した磁石５ａ、５ｂ、５ｃ、５ｄ及び４つの独立したコイル４ａ、４ｂ、４ｃ、４ｄの使用による部品数の増加及びコスト高によって生産性悪化が招かれる問題がある。
【００１４】
これはあらかじめ捲線されたコイルの使用が、コイルを捲線する工程及び捲線された工程をボビンに付着する工程を必要とするので、製作工程数が多く、直接捲線に比べて不良率が高く、独立した磁石を４つも必要とするためである。
【００１５】
また、従来のチルト駆動光ピックアップアクチュエータは、ボビン２の４面に対向すべく磁石が位置し、これに対応すべくフォーカスコイル及びトラッキングコイルもボビン２の４面に各々位置するのでコイル間配線が複雑になる問題がある。
【発明の開示】
【発明が解決しようとする課題】
【００１６】
本発明は前記問題点を改善するために案出されたものであって、２つの単極着磁磁石だけを使用してフォーカス方向及びトラッキング方向に付加してチルト方向駆動までも可能な低価型の磁気回路を備えるチルト駆動光ピックアップアクチュエータ及びこれを採用した光記録及び／または再生機器を提供するのにその目的がある。
【課題を解決するための手段】
【００１７】
前記目的を達成するために本発明は、対物レンズが搭載されるボビンと、一端が前記ボビンに結合され、他端がベース上の一側に備えられたホルダーに固定されて前記ボビンを動き自在に支持するサスペンションと、前記ボビン及びベースに設けられる磁気回路と、を含み、前記磁気回路は、前記ボビンの両側面と対向して位置すべくベースに位置する１対の単極着磁磁石と、前記ボビンの周りに捲線されたフォーカスコイルと、前記単極着磁磁石との相互作用によりトラッキング方向への制御のための電磁気力が発生すべく、前記フォーカスコイルとの交差方向に前記対物レンズのラジアル方向に沿った両側から前記ボビンを取り囲むように位置した１対のトラッキングコイルと、前記対物レンズの中心軸方向を上下方向とし、光記録媒体に近い側を上側とする時、前記単極着磁磁石との相互作用によりチルト方向への制御のための電磁気力が発生すべく前記ボビンの上側及び／または下側部分に設けられた複数のチルトコイルと、を含むことを特徴とする。
【００１８】
ここで、前記ボビンには前記トラッキングコイル及び／またはチルトコイルを捲線可能にリールが形成されており、前記トラッキングコイル及び／またはチルトコイルは前記ボビンに形成されたリールに直接的に捲線されることが望ましい。
【００１９】
この際、前記ボビンの上側部分の対物レンズのラジアル方向に沿った両側に前記トラッキングコイル及びチルトを何れも捲線可能にリールが形成されており、チルトコイルは前記ボビンの上側部分に形成された１対のリールに各々捲線されることが望ましい。
【００２０】
また、前記ボビンの下側部分の対物レンズのラジアル方向に沿った両側に前記トラッキングコイル及びチルトを何れも捲線可能にリールがさらに形成されており、チルトコイルは前記ボビンの下側部分に形成された１対のリールに各々さらに捲線されることがさらに望ましい。
【００２１】
前記ボビンには対物レンズを設けるための設置部が前記ボビンの上側及び／または下側部分に形成されたリールと離隔して形成されており、熱が対物レンズに与える影響を減らせるようになったことが望ましい。
【００２２】
前記トラッキングコイル及びフォーカスコイルは、前記トラッキングコイルの有効コイル部分が前記フォーカスコイルの有効コイル部分より前記単極着磁磁石に近く位置するか、前記フォーカスコイルの有効コイル部分が前記トラッキングコイルの有効コイル部分より前記単極着磁磁石に近く位置すべく前記ボビンに設けられることが望ましい。
【００２３】
前記ボビンには前記フォーカスコイル、トラッキングコイル及び／またはチルトコイルから発生した熱の対物レンズへの伝熱を抑制するために伝熱遮断用孔が少なくとも１つ以上形成されていることが望ましい。
【００２４】
前記目的を達成するために本発明は、対物レンズを駆動するアクチュエータを備え、光情報貯蔵媒体の半径方向に移動可能に設けられて光情報貯蔵媒体に／から情報を記録／再生する光ピックアップと、前記光ピックアップのフォーカス、トラックサーボを制御するための制御部と、を含み、前記アクチュエータは、対物レンズが搭載されるボビンと、一端が前記ボビンに結合され、他端がベース上の一側に備えられたホルダーに固定されて前記ボビンを動き自在に支持するサスペンションと、前記ボビンの両側面と対向して位置すべくベースに位置する１対の単極着磁磁石と、前記ボビンの周りに捲線されたフォーカスコイルと、前記単極着磁磁石との相互作用によりトラッキング方向への制御のための電磁気力が発生すべく前記フォーカスコイルとの交差方向に前記対物レンズのラジアル方向に沿った両側から前記ボビンを取り囲むように位置した１対のトラッキングコイルと、前記対物レンズの中心軸方向を上下方向とし、光記録媒体に近い方向を上側とする時、前記単極着磁磁石との相互作用によりチルト方向への制御のための電磁気力が発生すべく前記ボビンの上側及び／または下側部分に設けられた複数のチルトコイルとを含む磁気回路と、を備えることを特徴とする。
【発明の効果】
【００２５】
本発明に係る光ピックアップアクチュエータは、単極着磁磁石を使用し、捲線ガイドがあるボビンを使用して整列捲線を図り、単極着磁磁石の数を２つに制限することによっても３軸駆動が可能なので、材料費が節減され、スリム型及びこれより厚い形にも全て適用可能である。材料費が節減される理由は低価の単極着磁磁石２つを利用して磁気回路を構成するためである。
【００２６】
また、ボビンに少なくとも一部コイルを直接的に捲線するので、製品散布が減って不良率を減らせる。
【００２７】
また、本発明に係る光ピックアップアクチュエータは線形性が保証される。線形性は同一面上に分極を多く適用するほど低下するが、これは分極と分極間に存在する領域（Ｎｅｕｔｒａｌ  Ｚｏｎｅ）での磁束密度が０であるために、この領域に近づくほどその遷移区間で磁束密度によるローレンツ力の総和力が変わるためである。本発明に係る光ピックアップアクチュエータは単極着磁磁石を使用するために線形性に優れる。
【００２８】
また、本発明に係る光ピックアップアクチュエータによれば、ボビンの対物レンズ設置部とリール間にギャップ及び／またはボビンに少なくとも１つの熱伝逹遮断用孔を形成することにより過電流にも対物レンズを保護しうる。
【発明を実施するための最良の形態】
【００２９】
以下、添付した図面に基づいて本発明を詳細に説明する。
【００３０】
図２は、本発明の望ましい一実施例に係るチルト駆動光ピックアップアクチュエータを概略的に示す斜視図であり、図３は図２のボビンだけを抜粋して示す斜視図であり、図４は図２の平面図であり、図５は図４のＡ−Ａ線断面図である。
【００３１】
図面を参照すれば、本発明に係る光ピックアップアクチュエータは、対物レンズ１０が搭載されるボビン２０と、一端がボビン２０に結合され、他端がベース１１上の一側に備えられたホルダー（図示せず）に固定されてボビン２０をベース１１に対して動き自在に支持するサスペンション１３と、ボビン２０及びベース１１に設けられる磁気回路とを含んで構成される。
【００３２】
また、前記磁気回路はラジアル方向と平行したボビン２０の両側面と対向すべくベース１１に設けられる１対の単極着磁磁石３１と、前記ボビン２０の周りに捲線されたフォーカスコイル３３と、前記対物レンズ１０のラジアル方向に沿った両側で前記ボビン２０を取り囲むように設けられた１対のトラッキングコイル３５と、ボビン２０の上側部分及び下側部分に設けられた複数のチルトコイル３７を含んで構成される。前記１対の単極着磁磁石３１は光記録媒体、すなわち、光ディスクのタンジェンシャル方向にボビン２０の両側面に対向すべくベース１１に設けられる。
【００３３】
前記サスペンション１３はトラッキング制御及びフォーカス制御のための電流印加用ワイヤーであって４本備わる。本発明に係る光ピックアップアクチュエータは４個のサスペンション１３に付加し、チルト駆動用電流を印加するための２本のワイヤー１４をさらに備える。
【００３４】
本発明に係る光ピックアップアクチュエータは、１対の単極着磁磁石３１を備える点を付加し、少なくとも一部コイルをボビン２０に直接的に捲線可能にボビン２０にリールを形成し、そのリールにコイルを直接的に捲線した点に特徴がある。
【００３５】
図２ないし図５では、ボビン２０の胴体をフォーカスコイル３３を直接的に捲線可能にリール構造で形成し、トラッキングコイル３５及びチルトコイル３７を何れも直接的に捲線可能にボビン２０にリール３６、３８を形成した実施例を示す。
【００３６】
フォーカスコイル３３は前記１対の単極着磁磁石３１との相互作用によりアクチュエータの駆動部全体をフォーカス方向に移動可能な電磁気力が発生すべく、ボビン２０の周りに捲線される。
【００３７】
ボビン２０の胴体はボビン２０の周りにフォーカスコイル３３を直接的に捲線可能にリール構造で形成されうる。ここで、ボビン２０の胴体をリール構造で形成する代わりにフォーカスコイル３３の捲線位置をサスペンション１３を設けるための突出片２３により限定させることも可能である。
【００３８】
対物レンズ１０の中心軸方向を上下方向、すなわち、フォーカス方向とし、光記録媒体に近い側は上側、その反対側は下側とする時、前記フォーカスコイル３３は単極着磁磁石３１から発生した磁場により、そのフォーカスコイル３３に流れる電流の方向及び単極着磁磁石３１から発生した磁束の方向によって、フレミングの左手法則により上方または下方に電磁気力を受け、これによって本発明に係る光ピックアップアクチュエータの駆動部全体がフォーカス方向に動く。
【００３９】
一方、図２ないし図５に示されたように、前記ボビン２０にはトラッキングコイル３５及びチルトコイル３７を何れも捲線可能にリール３６、３８を形成し、トラッキングコイル３５とチルトコイル３７とをこのリール３６、３８に直接的に捲線することが望ましい。
【００４０】
本発明による一実施例はボビン２０の上側及び下側に全てリール３６、３８を備える。ボビン３０の上側には１対のリール３６がラジアル方向に対物レンズ１０の両側に位置すべく形成されている。また、ボビン３０の下側には１対のリール３８がラジアル方向に対物レンズ１０の両側に位置すべく形成されている。
【００４１】
本実施例において、各リール３６、３８は図３のボビン３０の抜粋図をはじめとする図２ないし図５に示されたように、対物レンズ１０のラジアル方向に沿った両側で各々１対のトラッキングコイル３５をフォーカスコイル３３との交差方向にボビン３０を取り囲むように捲線でき、ボビン２０の上側及び下側部分の対物レンズ１０のラジアル方向に沿った両側でフォーカスコイル３３とほぼ平行すべく各々４つのチルトコイル３７を捲線可能に形成することが望ましい。
【００４２】
この場合、１対のトラッキングコイル３５は単極着磁磁石３１との相互作用によりトラッキング方向への制御のための電磁気力を発生させうるように、フォーカスコイル３３との交差方向に対物レンズ１０のラジアル方向に沿った両側でボビン３０を取り囲むように、ボビン３０の上側及び下側に位置したリール３６、３８に亙って直接的にボビン３０に捲線される。
【００４３】
この際、ボビン３０の単極着磁磁石３１と対向する両側面側に各々上下方向、すなわち、フォーカス方向に電流を流せる１対の有効トラッキングコイル部分が位置する。
【００４４】
前述したように、対物レンズ１０のラジアル方向に沿った両側でボビン３０を取り囲むように１対のトラッキングコイル３５をリール３６、３８に捲線すれば、ボビン３０の単極着磁磁石３１と対向する両側面側に上下方向に電流が流れるように相互対称になるように有効トラッキングコイル部分が配置されるので、アクチュエータの駆動部全体を安定的にトラッキング方向に移動させうる。
【００４５】
また、前述したようにボビン３０の上側及び下側に各々１対のリール３６、３８を形成することにより、１対のチルトコイル３７はボビン２０の上側部の対物レンズ１０のラジアル方向に沿った両側に位置した１対のリール３６に各々フォーカスコイル３３とほぼ平行すべく直接的に捲線される。また、１対のチルトコイル３７はボビン２０の下側部分の対物レンズ１０のラジアル方向に沿った両側に位置した１対のリール３８に各々フォーカスコイル３３とほぼ平行すべく直接的に捲線される。
【００４６】
このように捲線された４つのチルトコイル３７の１対の単極着磁磁石３１と対向する部分は有効チルトコイルとして使われる。
【００４７】
ここで、ボビン２０の上側または下側部に位置した１対のチルトコイル３７は相互反対方向に捲線されることが望ましい。この場合、同じ電流を１対のチルトコイル３７に印加する時、ボビン２０の上側または下側部分に位置した１対のチルトコイル３７で実際電流が流れる方向が相互反対となって、このチルトコイル３７に流れる電流の方向及び単極着磁磁石３１から発生した磁束の方向を考慮する時、フレミングの左手法則によって相互反対の上下方向の電磁気力が発生し、これにより駆動部がラジアルチルト方向に駆動される。
【００４８】
したがって、上記の通りにリール３６、３８を形成し、これにチルトコイル３７を捲線すれば、タンジェンシャル方向に対物レンズ１０の両側に配置された１対の単極着磁磁石３１とチルトコイル３７の相互作用によりアクチュエータ駆動部全体を安定的にラジアルチルト方向に駆動することが可能である。
【００４９】
前記のように、ボビン２０の上側部分に形成されたリール３６に捲線されたチルトコイル３７はボビン２０の上側部分でチルト駆動力を発生させるが、対物レンズ１０がボビン２０の上側部分に設けられるので、ラジアルチルト駆動中心をさらに対物レンズ１０に近く位置させうるので、チルト駆動時にフォーカスに干渉を起こすことを最小化できる利点がある。また、ボビン２０の下側部分に形成されたリール３８に捲線されたチルトコイル３７はラジアルチルト駆動力をより大きくするのに寄与する。ここで、ボビン２０の上側及び下側に何れもラジアル方向に対物レンズ１０の両側にチルトコイル３７を配すれば、ボビン２０の上側部分にだけラジアル方向に対物レンズ１０の両側にチルトコイル３７を配する場合に比べてラジアルチルト駆動力を向上させうる。
【００５０】
一方、前記のように、整列捲線可能にボビン２０にリール構造を形成し、フォーカスコイル３３、トラッキングコイル３５及び／またはチルトコイル３７をボビン２０に直接的に捲線する場合には、リール３６、３８が過電流流入時にコイル変形抑制用ガイドの役割も行う利点がある。
【００５１】
前述したような本発明の一実施例に係る光ピックアップアクチュエータは２つの単極着磁磁石３１、整列捲線可能なボビン２０、４つのチルトコイル３７、１つのフォーカスコイル３３及び２つのトラッキングコイル３５を備える３軸駆動アクチュエータとなる。
【００５２】
一方、図２ないし図５ではトラッキングコイル３５がフォーカスコイル３３の外側に捲線される場合を示す。図２ないし図５に示されたように、トラッキングコイル３５をフォーカスコイル３３の外側に捲線すれば、トラッキングコイル３５の有効コイル部分がフォーカスコイル３３の有効コイル部分より単極着磁磁石３１により近く位置するので、トラッキング感度をさらに向上させうる。
【００５３】
代案として、本発明に係る光ピックアップアクチュエータは図６ないし図９に示されたように、フォーカスコイル１３３をトラッキングコイル１３５の外側に巻いてフォーカスコイル１３３の有効コイル部分がトラッキングコイル１３５の有効コイル部分より単極着磁磁石３１により近く位置すべく構成されることも可能である。
【００５４】
図６は、本発明の他の実施例に係るチルト駆動光ピックアップアクチュエータを概略的に示す斜視図であり、図７は図６のボビンだけを抜粋して示す斜視図であり、図８は図６の平面図であり、図９は図８のＢ−Ｂ線の断面図である。
【００５５】
図６ないし図９を参照すれば、本発明の他の実施例に係る光ピックアップアクチュエータは、フォーカスコイル１３３をトラッキングコイル１３５の外側に巻き取れるようにボビン１２０のリール構造を変更し、ボビン１２０の上側にのみトラッキングコイル１３５及びチルトコイル３７を直接的に捲線するためのリール１３６を対物レンズ１０のラジアル方向に沿った両側に形成し、フォーカスコイル１３３が占める部分を広げた点にその特徴がある。
【００５６】
このようにフォーカスコイル１３３をトラッキングコイル１３５の外側に巻く場合、図２ないし図５の実施例のように、フォーカスコイル３３をトラッキングコイル３５の内側に巻く場合に比べて、フォーカス感度を高められるが、これに付加し、本実施例に係る光ピックアップアクチュエータは、フォーカスコイル１３３が占める部分を本発明の一実施例の場合に比べて増やしたので、フォーカス感度が非常に優秀である。
【００５７】
ここで、図６ないし図９で、フォーカスコイル１３３、トラッキングコイル１３５、ボビン１２０及びリール１３６は各々図２ないし図５でのフォーカスコイル３３、トラッキングコイル３５、ボビン２０及びリール３６に各々対応する部材であり、図２ないし図５と同一な参照符号は実質的に同一な機能を行う同一部材を示すので、ここでは本発明の他の実施例に係るチルト駆動光ピックアップアクチュエータの各構成要素についての反復的な詳細な説明は省略する。
【００５８】
図６ないし図９に示されたような本発明の他の実施例に係る光ピックアップアクチュエータは、２つの単極着磁磁石３１、整列捲線可能なボビン１２０、２つのチルトコイル３７、１つのフォーカスコイル１３３及び２つのトラッキングコイル１３５を備える３軸駆動アクチュエータとなる。
【００５９】
以上、本発明に係る光ピックアップアクチュエータの具体的な実施例として、図２ないし図５を参照して一実施例を、図６ないし図９を参照して他の実施例を各々説明したが、これは例示的なものに過ぎず、本発明に係る光ピックアップアクチュエータは多様な変形が可能である。
【００６０】
すなわち、本発明に係る光ピックアップアクチュエータは図２ないし図５に示された一実施例と図６ないし図９に示された他の実施例の構造が複合された多様な形態をも有しうる。
【００６１】
例えば、本発明に係る光ピックアップアクチュエータは、図２ないし図５に示された構造でフォーカスコイル３３をトラッキングコイル３５の外側に巻く構造に変更した構成をも有しうる。
【００６２】
また、本発明に係る光ピックアップアクチュエータは、図６ないし図９に示された構造でボビン１２０の下側にも１対のチルトコイル３７を備えるように変更した構成をも有しうる。もちろん、この場合、光ピックアップアクチュエータの全高を図６ないし図９の場合と同一にしようとすれば、フォーカスコイル１３３が占める部分を縮めればよい。
【００６３】
一方、図２ないし図９に示されたように、ボビン２０／１２０にはその上側に突き出るように対物レンズ１０を設けるための設置部２５が備えられているので、この設置部２５とボビン２０／１２０との上側部分に形成された１対のリール３６／１３６及びそれに捲線されたトラッキングコイル３５／１３５及びチルトコイル３７間には所定のギャップｇが形成されたことが望ましい。図２ないし図５に例示された一実施例のように、ボビン２０の下側部にもチルトコイル３７を設ける場合には、ボビン２０の下側部分での対物レンズ１０の設置部２５とリール３８間にもギャップｇを形成することがさらに望ましい。
【００６４】
このように、リールと設置部２５間を離隔させてリールに捲線されたチルトコイル及びトラッキングコイルが設置部２５に接触しないようにすれば、チルト及び／またはトラッキング制御時、チルトコイル及び／またはトラッキングコイルに印加された電流により発生した熱が対物レンズ１０に与える影響を減らせて過電流から対物レンズを保護しうる。これは、設置部２５とリール間を離隔させれば、熱パスを延ばせて、伝熱速度を遅くしうるからである。
【００６５】
また、前記ボビン２０には図１０に示されたように、設置部２５周辺に熱パスをさらに延ばすために、熱伝逹遮断用孔２７を少なくとも１つ以上形成することがさらに望ましい。図１０はリール３６と設置部２５間に熱伝逹遮断用孔２７を形成した例を示す。このような熱伝逹遮断用孔２７は図２及び図６の場合に何れも適用されうる。
【００６６】
すなわち、図１０では図２に示された光ピックアップアクチュエータに熱伝逹遮断用孔２７をさらに備えた実施例を示すが、この熱伝逹遮断用孔２７は図６に示された光ピックアップアクチュエータにも適用されうる。
【００６７】
前記熱伝逹遮断用孔２７はボビン２０／１２０が要求される剛性を有する範囲内で開孔または閉孔の形に形成されうる。
【００６８】
一方、前述したような本発明の実施例に係る光ピックアップアクチュエータは、図２及び図４、図６及び図８、図１０に示されたように、１対の外側ヨーク１５をさらに備えることが望ましい。前記外側ヨーク１５はベース１１に形成される。単極着磁磁石３１はこの外側ヨーク１５に設けられる。
【００６９】
以上、本発明に係る光ピックアップアクチュエータがトラッキングコイル３５／１３５及びチルトコイル３７を全てボビン２０／１２０に直接的に捲線する構成を有すると説明及び図示したが、本発明はこれに限定されない。例えば、本発明に係る光ピックアップアクチュエータはトラッキングコイル３５／１３５及びチルトコイル３７のうち何れか１つはボビン２０／１２０に直接的に捲線し、残りはあらかじめ捲線されたバルク型コイルをボビン２０／１２０に付着する構造をも有しうる。
【００７０】
前述したような本発明に係る光ピックアップアクチュエータは、２面使用磁気回路に該当する構造である。これは本発明に係る光ピックアップアクチュエータがボビン２０／１２０の４側面のうち２側面だけを磁気回路の配置に用いるからである。これとは違って、図１に基づいて説明した従来の光ピックアップアクチュエータはボビン２の４側面を全て磁気回路を配置するのに使用する。
【００７１】
図１１は、本発明に係る光ピックアップアクチュエータを採用した光記録及び／または再生機器の構成を概略的に示す図面である。
【００７２】
図１１を参照すれば、本発明に係る光記録及び／または再生機器は光情報貯蔵媒体、例えば、光ディスクＤを回転させるためのスピンドルモータ２５５と、前記光ディスクＤの半径方向に移動可能に設けられて光ディスクに記録された情報を再生及び／または情報を記録する光ピックアップ２５０と、スピンドルモータ２５５と光ピックアップ２５０を駆動するための駆動部２５７と、光ピックアップ２５０のフォーカス、トラッキング及び／またはチルトサーボを制御するための制御部２５９を含む。また、本発明に係る光記録及び／または再生機器は、ターンテーブル２５２、光ディスクＤをチャッキングするためのクランプ２５３を含む。
【００７３】
光ピックアップ２５０は光源から出射された光を光ディスクＤに集束させる対物レンズ１０を含む光ピックアップ光学系と、この対物レンズ１０を３軸駆動するための本発明に係る光ピックアップアクチュエータを含む。
【００７４】
光ディスクＤから反射された光は光ピックアップ２５０に備えられた光検出器を通じて検出され、光電変換されて電気的信号に変わり、この電気的信号は駆動部２５７を通じて制御部２５９に入力される。前記駆動部２５７はスピンドルモータ２５５の回転速度を制御し、入力された信号を増幅させ、光ピックアップ２５０を駆動する。前記制御部２５９は駆動部２５７から入力された信号に基づいて調節されたフォーカスサーボ、トラッキングサーボ及びチルトサーボ命令を再び駆動部２５７に送り、光ピックアップ２５０のフォーカシング、トラッキング及びチルトサーボ動作を具現可能にする。
【産業上の利用可能性】
【００７５】
本発明に係る光ピックアップアクチュエータは光記録及び／または再生機器に対物レンズ駆動のために用いられる。本発明に係る光ピックアップアクチュエータは低価の単極着磁磁石２つを用いて磁気回路を構成するために、低価型として製作でき、少なくとも一部コイルをボビンに直接的に捲線するので、製品の散布が減って不良率を減らせる。
【図面の簡単な説明】
【００７６】
【図１】従来のチルト駆動光ピックアップアクチュエータの一例を概略的に示す平面図である。
【図２】本発明の一実施例に係るチルト駆動光ピックアップアクチュエータを概略的に示す斜視図である。
【図３】図２のボビンだけを抜粋して示す斜視図である。
【図４】図２の平面図である。
【図５】図４のＡ−Ａ線の断面図である。
【図６】本発明の他の実施例に係るチルト駆動光ピックアップアクチュエータを概略的に示す斜視図である。
【図７】図６のボビンだけを抜粋して示す斜視図である。
【図８】図６の平面図である。
【図９】図８のＢ−Ｂ線の断面図である。
【図１０】本発明のさらに他の実施例に係る光ピックアップアクチュエータを概略的に示す図面である。
【図１１】本発明に係る光ピックアップアクチュエータを採用した光記録及び／または再生機器の構成を概略的に示す図面である。
【符号の説明】
【００７７】
１０  対物レンズ
１１  ベース
１３  サスペンション
１４  ワイヤー
２０  ボビン
３１  単極着磁磁石
３３  フォーカスコイル
３５  トラッキングコイル
３７  チルトコイル
３６、３８  リール
【図１】
2004253126.tif 000003
【図２】
2004253126.tif 000004
【図３】
2004253126.tif 000005
【図４】
2004253126.tif 000006
【図５】
2004253126.tif 000007
【図６】
2004253126.tif 000008
【図７】
2004253126.tif 000009
【図８】
2004253126.tif 000010
【図９】
2004253126.tif 000011
【図１０】
2004253126.tif 000012
【図１１】
2004253126.tif 000013